(57)【特許請求の範囲】
【請求項１】
本体の上面に設けたトッププレートと、
前記トッププレートの下方に設けられ前記トッププレート上の被加熱調理容器を加熱する略円形状の加熱コイルと、
前記加熱コイルを保持するコイルベースと、
前記コイルベースを載置する金属製の非磁性プレートと、
前記非磁性プレートの下方に位置し前記加熱コイルを駆動するインバータ駆動部等を有する制御部と、
前記加熱コイルや前記制御部を下方から覆うように配設したケースと、
前記ケースの側壁上部の適所と前記非磁性プレートのいずれか一方に設けられた開口と、前記ケースの側壁上部の適所と前記非磁性プレートのいずれか他方に前記開口に挿入可能に設けられた挿入部と、
を備え、
前記トッププレートと前記加熱コイルが密着あるいは所定の距離を保つように、前記非磁性プレートを上方へ押し上げ、前記トッププレートに押しつけるようにバネ等からなる弾性手段を配設するとともに、前記開口に前記挿入部を挿入して前記ケースの側壁上部の適所に前記非磁性プレートの水平方向の位置を規制する位置決め手段を設けた誘導加熱調理器。
【請求項２】
前記位置決め手段の高さは、前記非磁性プレートが最下端に下がったときに、前記制御部と干渉しないように高さ規制する構成とした請求項１に記載の誘導加熱調理器。
【請求項３】
前記開口は前記ケースの側壁上部の適所に切り起こして設けられた位置決め用の開口とし、前記開口に前記非磁性プレートの一部に設けた挿入部を挿入して前記ケースの側壁上部の適所に前記非磁性プレートの水平方向の位置を規制するようにした請求項１または２に記載の誘導加熱調理器。
【請求項４】
前記弾性手段は、前記ケースの底部あるいは制御部の上面と非磁性プレートの下面の間に位置するように配設したコイルバネで形成した請求項１〜３のいずれか１項に記載の誘導加熱調理器。
【請求項５】
前記開口は前記ケースの側壁上部の適所に切り起こして設けられた位置決め用の開口とし、前記開口に前記非磁性プレートの一部に一体に形成した挿入部を挿入して前記ケースの側壁上部の適所に前記非磁性プレートの水平方向の位置を規制するとともに、前記挿入部の一部の形状を板バネ形状などの弾性形状として前記非磁性プレートと一体に形成した請求項１または２に記載の誘導加熱調理器。
【請求項６】
前記挿入部は前記ケースの側壁上部の適所に切り起こした水平面部に形成された位置決め用のピンとし、前記開口は前記非磁性プレートに設けられた位置決め孔とし、前記位置決め孔に前記位置決め用のピンを挿入して前記ケースの側壁上部の適所に前記非磁性プレートの水平方向の位置を規制するようにした請求項１または２に記載の誘導加熱調理器。
【発明の詳細な説明】
【技術分野】
【０００１】
本発明は、被加熱調理容器を載置するトッププレートと加熱コイルの位置関係を精度よく組み立てる構成の誘導加熱調理器に関するものである。
【背景技術】
【０００２】
近年、火を使わない、燃焼ガスの出ない安全でクリーンな熱源として誘導加熱調理器が普及してきている。この誘導加熱調理器は誘導加熱のための加熱コイルと、加熱コイルに高周波電流を制御可能に供給する制御回路上に様々な電子部品とを備えている。
【０００３】
そして、誘導加熱調理器はガス加熱に比べて高い熱効率であるものの、被調理鍋の材質による比透磁率や抵抗率によって加熱効率が異なり、相対的に熱効率の低い条件下では熱損失が増大し、その分加熱コイル等の部品の発熱が増大するため、安定した加熱調理を行うために、加熱コイルの構造が重要となり、種々の改良がなされている。
【０００４】
この種の誘導加熱調理器の加熱コイルの構成としては、簡便な方法で加熱コイルを支持する構成としたものがある（例えば、特許文献１参照）。
【０００５】
例えば、図９に示す従来の誘導加熱調理器の加熱コイルとインバータ基板との構成では、鍋等を載置する天板１はセラミックプレート等で構成されている。天板１の下方には、鍋を誘導加熱するための磁力線を発生させるコイル２が配置されている。
【０００６】
コイル２は支持体３上に固定されている。支持体３の下方には、コイル２に高周波電流を供給し駆動させるインバータ基板４が配設されている。インバータ基板４は基板支持体５上に保持されている。
【０００７】
基板支持体５は、支持体３を保持するための支持ボス６を複数個有している。支持ボス６の中央に形成された柱にはスプリングで構成された弾性体７が挿入されている。保持部８は、支持体３の外周部に一体に形成され下方に開口した筒状であり、弾性体７にかぶせられている。
【０００８】
支持体３はこれらによって保持されている。また支持体３には、保持部８の上方に押し当てボス９が複数個設けられている。押し当てボス９は弾性体７に押し上げられ、天板１裏面に当たる。
【０００９】
この構成によりコイル２と天板１とのギャップの距離は常に一定に保たれている。また支持体３の摺動距離Ａは、弾性体７の形状と付勢力とに依存し、支持体下面１０と電子部品天面部１１との隙間Ｂの最小値より小さくならないようにする必要がある。
【００１０】
このような従来の構成では、例えば梱包状態において誤って落下すると本体に衝撃が加わる。ここで、コイル２を支持する支持体３は弾性体７により保持されている。そのため、弾性体７は下方に圧縮され、支持体３も同時に下方に押し下げられ摺動する。
【００１１】
その際、押し下げられた支持体３はインバータ基板４上に載っている電子部品天面部１１に当たるまで押し下げられる。そのため、電子部品に応力がかかり、電子部品と共にインバータ基板４も破壊される。
【００１２】
このため、従来の構成においては、支持体下面１０と電子部品天面部１１との隙間Ｂの最小値を大きくするか、弾性体７の付勢力を強くして電子部品に応力がかからないようにされている。
【００１３】
隙間Ｂの最小値を大きくする場合には、本体内の空間に高密度に部品を実装できず製品高さが高くなり、本体のコンパクト化、薄型化の要望に対応することができない。一方、弾性体７の材質あるいは形状を変えて付勢力を大きくすると、押し当てボス９から天板１に加わる圧力が高くなる。そのため、梱包状態での製品の落下時に天板１に与えられる衝撃が大きくなり天板１が破壊される恐れが大きくなる。
【００１４】
そのため、簡便な方法で加熱コイルを支持して落下等の衝撃を受けても、壊れにくく信頼性が高くなるように構成したものがある（例えば、特許文献２参照）。
【００１５】
例えば図１０に示す従来の誘導加熱調理器は、調理容器を載置する天板２１と、加熱コイル２２と、インバータ基板２３と、支持体２４と、基板支持体２５と弾性体２６とを有する。加熱コイル２２は調理容器を誘導加熱する。
【００１６】
インバータ基板２３は部品を搭載し、加熱コイル２２を駆動させる。支持体２４はインバータ基板２３上方に配置され、加熱コイル２２を支持する。
【００１７】
また支持体２４は上方に押し当てボス２７が設けられこの押し当てボス２７を介在させて天板２１に押し当てられる。基板支持体２５は、支持体２４を保持する３以上の支持ボス２７を有するとともに、インバータ基板２３を保持する。
【００１８】
弾性体２６は支持体２４と支持ボス２８との間に介在する。支持体２４には第１摺動規制部２４ａが設けられ、支持ボス２８には第２摺動規制部２８ａが設けられている。第１摺動規制部２４ａと第２摺動規制部２８ａとは、互いに当接して、支持体２４下面２４ｂと部品の天面２３ａとの隙間の最小値より、支持体２４の摺動距離の方が小であるように制限する。
【００１９】
これにより弾性体２６が圧縮され支持体２４が押下げられても、インバータ基板２３上の部品に支持体２４が当たらなくなり、落下等の衝撃を受けても、壊れにくく信頼性が高くなる。
【先行技術文献】
【特許文献】
【００２０】
【特許文献１】特開平９−３１２１９５号公報
【特許文献２】国際公開第２００６／０２２２７５号
【発明の概要】
【発明が解決しようとする課題】
【００２１】
しかしながら、前記従来の構成では、支持体２４と支持ボス２８との間に介在させた弾性体２６によって、加熱コイル２２を載置した支持体２４を天板２１に押し当てるようになっていて、加熱コイル２２の水平方向の位置に対して規制をしていないので、天板２１と加熱コイル２２の位置関係が安定しにくいという課題があった。
【００２２】
特に、弾性体２６を撓ませるために必要な弾性体２６と支持ボス２８のガタツキ分や、組み立て時の弾性体２６を支持ボス２８に挿入する際に必要な支持ボス２８と弾性体２６の隙間が大きく、加熱コイル２２の水平方向の位置が定まりにくい構造となっていた。
【００２３】
さらに、支持ボス２８は外郭下面に設けられた基板支持体２５に設けられており、外郭と基板支持体２５の取付けばらつきや、外郭の下面と側面の角度ばらつき、そして、外郭の側面と取付ばらつきと、天板２１に対して水平方向の位置ずれの集積ばらつきが大きいため、天板２１と加熱コイル２２の位置関係がずれやすい構造となっていた。
【００２４】
そのため、天板２１に加熱位置を表示してあっても天板２１に載置した被加熱調理容器と加熱コイル２２の位置ずれが生じてしまい、被加熱調理容器の加熱効率が悪くなったり加熱ムラを生じて調理がうまくできなくなる心配や、加熱コイル２２にセンサーや表示器等を取り付けた誘導加熱調理では、天板２１に施した印刷とセンサーや表示器等の位置ずれで、センサーの検出精度や表示器の見映えが悪くなってしまうという課題を有していた。
【００２５】
本発明は、前記従来の課題を解決するもので、簡単な構成で、加熱コイル２２と天板２１の水平方向の位置ずれ規制して、天板２１と加熱コイル２２の位置関係を精度よく組み立てられる誘導加熱調理器を提供することを目的とする。
【課題を解決するための手段】
【００２６】
前記従来の課題を解決するために、本発明の誘導加熱調理器は、本体の上面に設けたトッププレートと、前記トッププレートの下方に設けられ前記トッププレート上の被加熱調理容器を加熱する略円形状の加熱コイルと、前記加熱コイルを保持するコイルベースと、前記コイルベースを載置する金属製の非磁性プレートと、前記非磁性プレートの下方に位置し前記加熱コイルを駆動するインバータ駆動部等を有する制御部と、前記加熱コイルや前記制御部を下方から覆うように配設したケースと、前記ケースの側壁上部の適所と前記非磁性プレートのいずれか一方に設けられた開口と、前記ケースの側壁上部の適所と前記非磁性プレートのいずれか他方に前記開口に挿入可能に設けられた挿入部と、を備え、前記トッププレートと前記加熱コイルが密着あるいは所定の距離を保つように、前記非磁性プレートを上方へ押し上げ、前記トッププレートに押しつけるようにバネ等からなる弾性手段を配設するとともに、前記開口に前記挿入部を挿入して前記ケースの側壁上部の適所に前記非磁性プレートの水平方向の位置を規制する位置決め手段を設けた構成としたものである。
【００２７】
これによって、ケースの側壁上部の適所に前記非磁性プレートの水平方向の位置を規制する位置決め手段を設けてあるので、簡単な構成でケースの側壁に対する非磁性プレートの水平方向の位置を規制でき、非磁性プレートに載置してある加熱コイルと天板の水平方
向の位置を安定させることができるので、天板と加熱コイルの位置関係を精度よく組み立てられるようにすることができる。
【発明の効果】
【００２８】
本発明の誘導加熱調理器は、簡単な構成でケースの側壁に対する非磁性プレートの水平方向の位置を規制して、非磁性プレートに載置してある加熱コイルと天板の水平方向の位置が安定させることができ、天板と加熱コイルの位置関係を精度よく組み立てられるようになるので、天板に表示してある加熱位置に被加熱調理容器を載置することで加熱コイル直上に精度よく位置させることができ、加熱効率の低下や加熱ムラを低減することができる。
【００２９】
また、加熱コイルにセンサーや表示器等を取り付けた誘導加熱調理においては、天板に施した印刷とセンサーや表示器等の位置ずれを低減でき、センサーの検出精度や表示器の見映えを向上するので、品質・性能の向上を図ることができる。
【図面の簡単な説明】
【００３０】
【図１】本発明の実施の形態１における誘導加熱調理器の要部断面図
【図２】本発明の実施の形態１における誘導加熱調理器の要部斜視図
【図３】本発明の実施の形態１における誘導加熱調理器の平面図
【図４】本発明の実施の形態１における誘導加熱調理器の制御ブロック図
【図５】本発明の実施の形態２における誘導加熱調理器の要部斜視図
【図６】本発明の実施の形態３における誘導加熱調理器の要部斜視図
【図７】本発明の実施の形態３における誘導加熱調理器の要部断面図
【図８】本発明の他の実施の形態における誘導加熱調理器の要部断面図
【図９】従来の誘導加熱調理器の要部断面図
【図１０】従来の誘導加熱調理器の要部断面図
【発明を実施するための形態】
【００３１】
従来の課題を解決するために、第１の発明の誘導加熱調理器は、本体の上面に設けたトッププレートと、前記トッププレートの下方に設けられ前記トッププレート上の被加熱調理容器を加熱する略円形状の加熱コイルと、前記加熱コイルを保持するコイルベースと、前記コイルベースを載置する金属製の非磁性プレートと、前記非磁性プレートの下方に位置し前記加熱コイルを駆動するインバータ駆動部等を有する制御部と、前記加熱コイルや前記制御部を下方から覆うように配設したケースと、前記ケースの側壁上部の適所と前記非磁性プレートのいずれか一方に設けられた開口と、前記ケースの側壁上部の適所と前記非磁性プレートのいずれか他方に前記開口に挿入可能に設けられた挿入部と、を備え、前記トッププレートと前記加熱コイルが密着あるいは所定の距離を保つように、前記非磁性プレートを上方へ押し上げ、前記トッププレートに押しつけるようにバネ等からなる弾性手段を配設するとともに、前記開口に前記挿入部を挿入して前記ケースの側壁上部の適所に前記非磁性プレートの水平方向の位置を規制する位置決め手段を設けた構成としてある。
【００３２】
そして、ケースの側壁上部の適所に前記非磁性プレートの水平方向の位置を規制する位置決め手段を設けてあるので、簡単な構成でケースの側壁に対する非磁性プレートの水平方向の位置を規制でき、非磁性プレートに載置してある加熱コイルとトッププレートの水平方向の位置が安定させることができ、トッププレートと加熱コイルの位置関係を精度よく組み立てられるようにすることができる。
【００３３】
これにより、トッププレートに表示してある加熱位置に被加熱調理容器を載置することで加熱コイル直上に精度よく位置させることでき、加熱効率の低下や加熱ムラを低減する
ことができる。
【００３４】
また、加熱コイルにセンサーや表示器等を取り付けた誘導加熱調理においては、トッププレートに施した印刷とセンサーや表示器等の位置ずれを低減でき、センサーの検出精度や表示器の見映えが向上させられるので、品質・性能の向上を図ることができるようになる。
【００３５】
第２の発明は、特に、第１の発明の位置決め手段の高さは、前記非磁性プレートが最下端に下がったときに、前記制御部と干渉しないように高さ規制する構成としてある。
【００３６】
これによって、位置決め手段の高さは、前記非磁性プレートが最下端に下がったときに、前記制御部と干渉しないように高さ規制する構成としてあるので、該誘導加熱調理器を輸送や設置時に誤って落下などの衝撃で、非磁性プレートが最下端に下がっても制御部と接触しないので、制御部を損傷する心配もなく、さらに、制御部と接触した反動で、トッププレートに押し上げられることもなくなるので、トッププレートに与えられる衝撃が大きくなってトッププレートを破壊する危険性も大幅に低減することができる。
【００３７】
第３の発明は、特に、第１または第２の発明において、前記開口は前記ケースの側壁上部の適所に切り起こして設けられた位置決め用の開口とし、前記開口に前記非磁性プレートの一部に設けた挿入部を挿入して前記ケースの側壁上部の適所に前記非磁性プレートの水平方向の位置を規制するようにした構成としてある。
【００３８】
これによって、ケースの側壁上部の適所に切り起こして位置決め用の開口を設け、前記開口に前記非磁性プレートの一部に設けた挿入部を挿入して位置決め手段を構成してあるので、最小の部品で位置決め手段を構成できるとともに、部品を取り付ける工数も低減でき、安価にすることができるようになる。
【００３９】
さらに、位置決め用の開口はケースの側壁と一体となっているので、ケースの側壁と位置決め用の開口の位置ずれを生じないので、位置精度を高くすることができ、より、トッププレートと加熱コイルの位置関係を精度よく組み立てられるようにすることができる。
【００４０】
第４の発明は、特に、第１〜３のいずれか１つの発明の弾性手段は、前記ケースの底部あるいは制御部の上面と非磁性プレートの下面の間に位置するように配設したコイルバネで形成した構成としてある。
【００４１】
これによって、弾性手段は、前記ケースの底部あるいは制御部の上面と非磁性プレートの下面の間に位置するように配設したコイルバネで形成してあるので、非磁性プレートの水平方向の位置を規制する位置決め手段を使用して非磁性プレートを取り付けると同時にコイルバネで上方へ押し上げ、トッププレートに押しつけるように構成でき、組み立て性を向上することができる。
【００４２】
第５の発明は、特に、第１または第２の発明において、前記開口は前記ケースの側壁上部の適所に切り起こして設けられた位置決め用の開口とし、前記開口に前記非磁性プレートの一部に一体に形成した挿入部を挿入して前記ケースの側壁上部の適所に前記非磁性プレートの水平方向の位置を規制するとともに、前記挿入部の一部の形状を板バネ形状などの弾性形状として前記非磁性プレートと一体に形成した構成としてある。
【００４３】
これによって、挿入部の一部の形状を板バネ形状などの弾性形状として前記非磁性プレートと一体に形成してあるので、コイルバネ等の他の部品が不要となり、新しい部品を使用せずに位置決め手段を構成できるとともに、部品を取り付ける工数も低減でき、安価に
することができるようになる。
【００４４】
第６の発明は、特に、第１または第２の発明において、前記挿入部は前記ケースの側壁上部の適所に切り起こした水平面部に形成された位置決め用のピンとし、前記開口は前記非磁性プレートに設けられた位置決め孔とし、前記位置決め孔に前記位置決め用のピンを挿入して前記ケースの側壁上部の適所に前記非磁性プレートの水平方向の位置を規制するようにした構成としてある。
【００４５】
これによって、ケースの側壁上部の適所に切り起こして水平面部を設け、前記水平面部に位置決め用のピンを配設するようにしてあるので、組み立て順序が、位置決め用のピンを取付けて、次に、非磁性プレートの位置決め孔をガイドに非磁性プレートを重ねることができ、積み上げて組み立てていくことができるので、作業性を大幅に向上することができる。
【００４６】
以下、本発明の実施の形態について、図面を参照しながら説明する。なお、この実施の形態によって本発明が限定されるものではない。
【００４７】
（実施の形態１）
図１は、本発明の第１の実施の形態における誘導加熱調理器の要部断面図、図２は本発明の第１の実施の形態における誘導加熱調理器の要部斜視図、図３は本発明の第１の実施の形態における誘導加熱調理器の平面図、図４は本発明の第１の実施の形態における誘導加熱調理器の制御ブロック図である。
【００４８】
図１〜図４に示すように、本体３１の天面は鍋などの被加熱調理容器３２を載置するトッププレート３３で形成され、その一部に操作部３４が設けてあり、トッププレート３３の内側には被加熱調理容器３２を加熱する略円形状の加熱コイル３５と、前記加熱コイル３５の運転や電源供給するインバータ部３６を制御する制御部３７が配置されていて、制御部３７が、インバータ部３６のスイッチング半導体をオン、オフしてインバータ部３６の高周波発振を制御するとともに発振動作の起動、停止も制御している。
【００４９】
前記インバータ部３６は、周波数変換装置の一つで、電源整流器、フィルタコンデンサ、共振コンデンサ、スイッチング半導体などを含み、商用電源３８を高周波電流に変換し、この高周波電流を加熱コイル３５に供給して、加熱コイル３５は被加熱調理容器３２の近傍で高周波磁界を発生し被加熱調理容器３２の底を加熱するようになっている。
【００５０】
また、加熱コイル３５は略同心円状直列に配設された内側および外側の二つのコイルからなり、加熱コイル３５の下方には耐熱樹脂性のコイルベース３９が設けられており、コイルベース３９は、アルミ製の非磁性プレート４１に載置してある。
【００５１】
そして、トッププレート３３には被加熱調理容器３２を載置する場所が印刷で表示されるとともに、本体３１の内側で加熱コイル３５を載置したコイルベース３９外周には発光表示体４０が配置され、少なくとも、発光表示体４０に相対するトッププレート３３は光を透過するようにしてあり、発光表示体４０はトッププレート３３側に向けて発光して被加熱調理容器３２を載置する位置や加熱コイル３５が加熱状態であることを表示するようになっていて、より使用者に判りやすいようにしてある。
【００５２】
また、本体３１のトッププレート３３の下方の外殻を形成するケース４２は、金属板で底面４２ａから上方へ折り曲げて側壁である側板４２ｂを一体形成して箱状としてあり、上記の加熱コイル３５や制御部３７を内蔵するようになっている。
【００５３】
そして、図２に示すように、ケース４２の側板４２ｂの適所に切り起こして上面に位置決め用の開口４３ａを設け、位置決め用の開口４３ａに非磁性プレート４１の一部に設けた挿入部４１ａを挿入して水平方向の位置を規制するようにした位置決め手段４３を設けた構成としてある。
【００５４】
また、ケース４２の側板４２ｂの適所に切り起こして形成した位置決め手段４３の高さは、制御部３７の部品の最上端よりも高い位置にしてあり、非磁性プレート４１が最下端に下がったときに、制御部３７と干渉しないように高さ規制をするようになっていて、さらに、切り起こして形成した位置決め手段４３は下方へ折り曲げ部分４２ｃを設け、下方の側板４２ｂと突っ張って倒れ防止して、水平面を保つようにしてある。
【００５５】
そしてまた、位置決め手段４３の近傍にケース４２の底部の上面と非磁性プレート４１の下面の間に位置するように弾性体であるコイルバネ４４を配設してあり、非磁性プレート４１をコイルバネ４４で上方へ押し上げ、トッププレート３３に押しつけるようにしてある。
【００５６】
以上のように構成された加熱調理器について、以下その動作、作用を説明する。
【００５７】
本体３１の天面は鍋などの被加熱調理容器３２を載置して、使用者が操作部３４を操作して、所定の条件で加熱を開始すると、制御部３７が、インバータ部３６を稼働させて高周波電流を加熱コイル３５に供給し、加熱コイル３５は被加熱調理容器３２の近傍で高周波磁界を発生して、被加熱調理容器３２の底を加熱するようになっている。
【００５８】
ここで、ケース４２の側板４２ｂ上部の適所に非磁性プレート４１の水平方向の位置を規制する位置決め手段４３を設けてあるので、簡単な構成でケース４２の側板４２ｂに対する非磁性プレート４１の水平方向の位置を規制でき、非磁性プレート４１に載置してある加熱コイル３５とトッププレート３３の水平方向の位置が安定させることができ、トッププレート３３と加熱コイル３５の位置関係を精度よく組み立てられるようにできる。
【００５９】
これにより、トッププレート３３に表示してある加熱位置３３ａに被加熱調理容器３２を載置することで加熱コイル３５直上に精度よく位置させることでき、加熱効率の低下や加熱ムラを低減することができる。
【００６０】
そして、トッププレート３３の被加熱調理容器３２を載置する場所の印刷表示部と、加熱コイル３５の位置ずれも低減でき、発光表示体４０による被加熱調理容器３２を載置する位置や加熱コイル３５が加熱状態であることを表示する部分も、位置ずれも低減できるようになり、トッププレート３３の透過部分を少なくすることができるので、トッププレート３３から下方に位置する加熱コイル３５等の内蔵物も見えにくくすることができ、見映えを向上させることができるようになる。
【００６１】
また、加熱コイル３５にセンサーや表示器等（図示せず）を取り付けた誘導加熱調理においては、トッププレート３３に施した印刷とセンサーや表示器等の位置ずれを低減でき、センサーの検出精度や表示器の見映えが向上させられるので、品質・性能の向上を図ることができるようになる。
【００６２】
さらに、位置決め手段４３の高さは、非磁性プレート４１が最下端に下がったときに、制御部３７と干渉しないように高さ規制する構成としてあるので、該誘導加熱調理器を輸送や設置時に誤って落下などの衝撃で、非磁性プレート４１が最下端に下がっても制御部３７と接触しないので、制御部３７を損傷する心配もなく、さらに、制御部３７と接触した反動で、トッププレート３３に押し上げられることもなくなるので、トッププレート３
３に与えられる衝撃が大きくなってトッププレート３３を破壊する危険性も大幅に低減されるようになる。
【００６３】
そして、ケース４２の側板４２ｂの適所に切り起こして上面に位置決め用の開口４３ａを設け、開口４３ａに非磁性プレート４１の一部あるいは別体に設けた挿入部４１ａを挿入して位置決め手段４３を構成してあるので、最小の部品で位置決め手段４３を構成できるとともに、部品を取り付ける工数も低減でき、安価にすることができるようになる。
【００６４】
さらに、位置決め用の開口４３ａはケース４２の側板４２ｂと一体となっているので、ケース４２の側板４２ｂと位置決め用の開口４３ａの位置ずれを生じないので、位置精度を高くすることができ、より、トッププレート３３と加熱コイル３５の位置関係を精度よく組み立てられるようにできる。
【００６５】
また、切り起こして形成した位置決め手段４３は下方へ折り曲げ部分４２ｃを設け、下方の側板４２ｂと突っ張って倒れ防止して、水平面を保つようにしてあるので、位置決め手段４３が非磁性プレート４１の荷重などによって、下方へ曲げられようとしても、下方への折り曲げ部分４２ｃで支えられ、水平面を保ち、トッププレート３３と加熱コイル３５の位置関係を精度よく保持することができる。
【００６６】
そして、弾性手段は、ケース４２の底部の上面と非磁性プレート４１の下面の間に位置するように配設したコイルバネ４４で形成してあるので、水平方向の位置を規制する位置決め手段４３を使用して非磁性プレート４１を取り付けると同時にコイルバネ４４で上方へ押し上げ、トッププレート３３に押しつけるように構成でき、組み立て性を向上することができる。
【００６７】
尚、位置決め手段４３と弾性手段であるコイルバネ４４は、ケース４２とトッププレート３３を締結する手段の近傍に配設した方が、非磁性プレート４１に載置してある加熱コイル３５とトッププレート３３の水平方向の位置の精度が高くなる。
【００６８】
（実施の形態２）
図５は、本発明の第２の実施の形態における誘導加熱装置の要部斜視図である。実施の形態２は、前述の実施の形態１と位置決め手段の構成が異なる点で、実施の形態１と同一部分は同一符号を付記して、その説明を省略し異なる部分のみを説明する。
【００６９】
図５に示すように、ケース４２の側板４２ｂの適所に切り起こして上面に位置決め用の開口４３ａを設け、開口４３ａに非磁性プレート５１の一部に一体に形成した挿入部５１ａを挿入して水平方向の位置を規制するとともに、弾性手段を、非磁性プレート５１の挿入部５１ａの一部の形状を撓みやすいように曲げ部分５１ｂを設け、弾性形状として非磁性プレート５１と一体に形成した構成としてある。
【００７０】
そして、弾性手段を、挿入部５１ａの一部の形状を撓みやすいように曲げ部分５１ｂを設け弾性形状として非磁性プレート５１と一体に形成してあるので、コイルバネ４４等の他の部品が不要となり、新しい部品を使用せずに位置決め手段４３を構成できるとともに、部品を取り付ける工数も低減でき、安価にすることができるようになる。
【００７１】
（実施の形態３）
図６は、本発明の第２の実施の形態における誘導加熱装置の要部斜視図、図７は、本発明の第３の実施の形態における誘導加熱調理器の要部断面図を示すものである。本実施の形態は、前述の実施の形態１および実施の形態２と位置決め手段の構成が異なる点で、実施の形態１と同一部分は同一符号を付記して、その説明を省略し異なる部分のみを説明す
る。
【００７２】
図６、図７に示すように、ケース６１の側板６１ａの適所に切り起こして水平面部６１ｂを設け、水平面部６１ｂに位置決め用のピン６３とその周囲に弾性手段の弾性体６４を配設するとともに、非磁性プレート６５に位置決め孔６６を設け、位置決め用の部品の位置決め用のピン６３を挿入して水平方向の位置を規制するようにした構成としてある。
【００７３】
そして、ケース６１の側板６１ａの適所に切り起こして水平面部６１ｂを設け、水平面部６１ｂに位置決め用のピン６３とその周囲に弾性体６４を配設するようにしてあるので、組み立て順序が、位置決め用のピン６３を取付けて、次に、弾性体６４を配設した後に、非磁性プレート６５の位置決め孔６６をガイドに非磁性プレート６５を重ねることができ、積み上げて組み立てていくことができるので、作業性を大幅に向上することができる。
【００７４】
尚、図８は、本発明の他の実施の形態における誘導加熱調理器の要部断面図である。図８に示すようにケース７１の側板７１ａの適所に取付部を設けるとともに、上面に位置決め用のピン７２とその周囲に弾性体７３を配設したケース７１と別体の位置決め用部品７４を取付部に取付け、且つ、非磁性プレート７５に位置決め孔７６を設け、位置決め用部品７４の位置決め用のピン７２を挿入して水平方向の位置を規制するようにしてもよい。
【００７５】
これによれば、弾性体７３を保持するための強度が必要な場合にケース７１から位置決め部を切り起こして用いると、ケース７１の板厚を厚くするなどのケース７１の強度対策が必要となり、コスト高になって重量も重くなってしまう心配があるが、ケース７１の側板７１ａの適所に設けた取付部にケース７１と別体の位置決め用部品７４を取付けるようにしてあるので、位置決め用部品７４だけの板厚を厚くするなどの強度アップを図ればよく、簡単に加重対応ができるようになる。
【００７６】
また、位置決め用のピン７２を位置決め用部品７４と別体として説明したが、これは、位置決め用部品７４の一部を切り起こして形成するようにしてもよい。
【産業上の利用可能性】
【００７７】
以上のように、本発明にかかる誘導加熱調理器は、簡単な構成で、加熱コイルとトッププレートの水平方向の位置ずれ規制して、トッププレートと加熱コイルの位置関係を精度よく組み立てられるので、加熱コイルを用いる誘導加熱器全般に有効である。
【符号の説明】
【００７８】
１、２１  天板
３１  本体
３２  被加熱調理容器
３３  トッププレート
２２、３５  加熱コイル
３７  制御部
３９  コイルベース
４１、５１、６５、７５  非磁性プレート
４２、６１、７１  ケース
４２ｂ、６１ａ、７１ａ  側板
４２ｃ  折り曲げ部分
４３  位置決め手段
４３ａ  開口
４４  コイルバネ
５１ｂ  曲げ部分
７、２６、６４、７３  弾性体
６３、７２  ピン
６６、７６  位置決め孔
【図２】
0005617451.tif 000002
【図４】
0005617451.tif 000003
【図５】
0005617451.tif 000004
【図６】
0005617451.tif 000005
【図７】
0005617451.tif 000006
【図８】
0005617451.tif 000007
【図９】
0005617451.tif 000008
【図１０】
0005617451.tif 000009
【図１】
0005617451.tif 000010
【図３】
0005617451.tif 000011